【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
湿気硬化型シリル化ポリマーであって、プレポリマーと、３つのメトキシ基を有するシラン（ｉ）、独立して２から４個の炭素原子を含有する３つのアルコキシ基を有するシラン（ｉｉ）、そして任意選択で、２つのメトキシ基と２から４個の炭素原子の１つのアルコキシ基を有するシラン（ｉｉｉ）および／もしくは１つのメトキシ基と独立して２から４個の炭素原子を含有する２つのアルコキシ基を有するシラン（ｉｖ）を含有するシリル化反応物とを反応させる事によって得られる、湿気硬化型シリル化ポリマー。
【請求項２】
シラン（ｉ）対シラン（ｉｉ）のモル比が５：１から１：５である、請求項１に記載の湿気硬化型シリル化ポリマー。
【請求項３】
前記プレポリマーがヒドロキシル官能性を持ち、かつ前記シリル化反応物がイソシアナト官能性を持っているか、または、前記プレポリマーがイソシアナト官能性を持ち、かつ前記シリル化反応物がアミン官能性を持っている、請求項１に記載の湿気硬化型シリル化ポリマー。
【請求項４】
前記プレポリマーがポリエーテルジオールおよびジイソシアナートから誘導されるヒドロキシル末端ポリウレタンプレポリマーであり、かつ前記シリル化反応物が、シラン（ｉ）と（ｉｉ）、ならびに任意選択でシラン（ｉｉｉ）および／もしくはシラン（ｉｖ）の混合物であり、かつここで前記シラン（ｉ）、（ｉｉ）、（ｉｉｉ）および（ｉｖ）がイソシアナト官能性を有しているものであるか、または前記プレポリマーがポリエーテルジオールおよびジイソシアナートから誘導されるイソシアナト末端ポリウレタンプレポリマーであり、かつ前記シリル化反応物がシラン（ｉ）と（ｉｉ）ならびに任意選択でシラン（ｉｉｉ）および／もしくはシラン（ｉｖ）の混合物であり、かつここで前記シラン（ｉ）、（ｉｉ）、（ｉｉｉ）および（ｉｖ）がアミン官能性を有しているものである、請求項３に記載の湿気硬化型シリル化ポリマー。
【請求項５】
前記ポリエーテルジオールが複金属シアン化物触媒を用いる重合化プロセスによって産生され、前記ジイソシアナートがイソホロンジイソシアナートである、請求項４に記載の湿気硬化型シリル化ポリマー。
【請求項６】
前記シリル化反応物が１５から８５モルパーセントのシラン（ｉ）、１５から８５モルパーセントのシラン（ｉｉ）、０から４５モルパーセントのシラン（ｉｉｉ）および０から４５モルパーセントのシラン（ｉｖ）を含有する、請求項１〜５のいずれか１項に記載の湿気硬化型シリル化ポリマー。
【請求項７】
シラン（ｉ）、（ｉｉ）、（ｉｉｉ）および（ｉｖ）が一般式：
（ｉ）  ＸＲ１Ｓｉ（ＯＣＨ３）３
（ｉｉ）  ＸＲ１Ｓｉ（ＯＲ２）３
（ｉｉｉ）  ＸＲ１Ｓｉ（ＯＣＨ３）２（ＯＲ２）
（ｉｖ）  ＸＲ１Ｓｉ（ＯＣＨ３）（ＯＲ２）２
であって、
式中、
Ｘの各々が独立して、−ＳＨ、−ＮＨＲ３、−ＮＨＣＨ（ＣＯ２Ｒ４）ＣＨ２ＣＯ２Ｒ４、−ＮＨＣ（＝Ｏ）ＮＨ２、−ＮＣＯおよび−Ｈからなる群より選択される反応性の官能基であり、ここでＸが−ＨであるときＲ１は化学結合であるという条件であり；
Ｒ１の各々が独立して、化学結合もしくは１から１８個の炭素原子の二価の炭化水素基であり、そして任意選択で酸素、窒素および硫黄からなる群より選択される一つもしくはそれ以上のヘテロ原子を含有し、ここでＲ１が化学結合であるときＸが−Ｈであるという条件であり；
Ｒ２の各々が独立して２から４個の炭素原子を含有する一価のアルキル基であり；
Ｒ３の各々が独立して水素、１から８個の炭素原子の一価の炭化水素基、もしくは−Ｒ５Ｓｉ（ＯＣＨ３）ｘ（ＯＲ６）３−ｘであり；
Ｒ４の各々が独立して水素もしくは１から８個の炭素原子の一価の炭化水素基であり；
Ｒ５の各々が独立して１から１８個の炭素原子の二価の炭化水素基であり、そして任意選択で酸素、窒素および硫黄からなる群より選択される一つもしくはそれ以上のヘテロ原子を含有し；
Ｒ６の各々が独立して２から４個の炭素原子を含有する一価のアルキル基であり；
ｘの各々が独立して０から３の整数である、
請求項１に記載の湿気硬化型シリル化ポリマー。
【請求項８】
シラン（ｉ）が、２−メルカプトエチルトリメトキシシラン、３−メルカプトプロピルトリメトキシシラン、４−メルカプトブチルトリメトキシシラン、３−メルカプトブチルトリメトキシシラン、３−メルカプト−２−メチルプロピルトリメトキシシラン、３−メルカプトシクロヘキシルトリメトキシシラン、１２−メルカプトドデシルトリメトキシシラン、１８−メルカプトオクタデシルトリメトキシシラン、２−メルカプトフェニルトリメトキシシラン、２−メルカプトトリルトリメトキシシラン、１−メルカプトメチルトリルトリメトキシシラン、２−メルカプトエチルフェニルトリメトキシシラン、２−メルカプトエチルトリルトリメトキシシラン、３−メルカプトプロピルフェニルトリメトキシシラン、３−アミノプロピルトリメトキシシラン、Ｎ−メチル−３−アミノ−２−メチルプロピルトリメトキシシラン、Ｎ−エチル−３−アミノ−２−メチルプロピルトリメトキシシラン、Ｎ−ブチル−３−アミノプロピルトリメトキシシラン、３−（Ｎ−メチル−２−アミノ−１−メチル−１−エトキシ）−プロピルトリメトキシシラン、Ｎ−エチル−４−アミノ−３，３−ジメチルブチルトリメトキシシラン、Ｎ−（シクロヘキシル）−３−アミノプロピルトリメトキシシラン、ｂｉｓ−（３−トリメトキシシリルプロピル）アミン、ｂｉｓ−（３−トリメトキシシリル−２−メチルプロピル）アミン、Ｎ−（３−トリメトキシシリルプロピル）−３−アミノ−２−メチルプロピルトリメトキシシラン、２−（トリメトキシシラニルメチル−アミノ）−コハク酸ジメチルエステル、２−（トリメトキシシラニルメチル−アミノ）−コハク酸ジエチルエステル、２−（トリメトキシシラニルメチル−アミノ）−コハク酸ジブチルエステル、２−（トリメトキシシラニル−エチルアミノ）−コハク酸ジメチルエステル、２−（トリメトキシシラニル−プロピルアミノ）−コハク酸ジメチルエステル、２−（トリメトキシシラニル−プロピルアミノ）−コハク酸ジエチルエステル、２−（トリメトキシシラニル−プロピルアミノ）−コハク酸ジブチルエステル、ウレイドメチルトリメトキシシラン、２−ウレイドエチルトリメトキシシラン、３−ウレイドプロピルトリメトキシシラン、６−ウレイドヘキシルトリメトキシシラン、イソシアナトメチルトリメトキシシラン、２−イソシアナトエチルトリメトキシシランおよび３−イソシアナトプロピルトリメトキシシランからなる群より選択され、シラン（ｉｉ）が、２−メルカプトエチルトリエトキシシラン、３−メルカプトプロピルトリエトキシシラン、４−メルカプトブチルトリエトキシシラン、３−メルカプトブチルトリエトキシシラン、３−メルカプト−２−メチルプロピルトリエトキシシラン、３−メルカプトシクロヘキシルトリエトキシシラン、１２−メルカプトドデシルトリエトキシシラン、１８−メルカプトオクタデシルトリプロポキシシラン、２−メルカプトフェニルトリブトキシシラン、２−メルカプトトリルトリエトキシシラン、１−メルカプトメチルトリルトリエトキシシラン、２−メルカプトエチルフェニルトリエトキシシラン、２−メルカプトエチルトリルトリエトキシシラン、３−メルカプトプロピルフェニルトリ−イソ−プロポキシシラン、３−アミノプロピルトリエトキシシラン、Ｎ−メチル−３−アミノ−２−メチルプロピルトリエトキシシラン、Ｎ−エチル−３−アミノ−２−メチルプロピルトリエトキシシラン、Ｎ−ブチル−３−アミノプロピルトリエトキシシラン、３−（Ｎ−メチル−２−アミノ−１−メチル−１−エトキシ）−プロピルトリプロポキシシラン、Ｎ−エチル−４−アミノ−３，３−ジメチルブチルトリエトキシシラン、Ｎ−（シクロヘキシル）−３−アミノプロピルトリエトキシシラン、ｂｉｓ−（３−トリエトキシシリルプロピル）アミン、ｂｉｓ−（３−トリエトキシシリル−２−メチルプロピル）アミン、Ｎ−（３−トリエトキシシリルプロピル）−３−アミノ−２−メチルプロピルトリエトキシシラン、２−（トリエトキシシラニルメチル−アミノ）−コハク酸ジメチルエステル、２−（トリエトキシシラニルメチル−アミノ）−コハク酸ジエチルエステル、２−（トリエトキシシラニルメチル−アミノ）−コハク酸ジブチルエステル、２−（トリエトキシシラニル−エチルアミノ）−コハク酸ジメチルエステル、２−（トリエトキシシラニル−プロピルアミノ）−コハク酸ジメチルエステル、２−（トリエトキシシラニル−プロピルアミノ）−コハク酸ジエチルエステル、２−（トリエトキシシラニル−プロピルアミノ）−コハク酸ジブチルエステル、ウレイドメチルトリエトキシシラン、２−ウレイドエチルトリエトキシシラン、３−ウレイドプロピルトリエトキシシラン、６−ウレイドヘキシルトリエトキシシラン、イソシアナトメチルトリエトキシシラン、２−イソシアナトエチルトリエトキシシラン、３−イソシアナトプロピルトリエトキシシラン、３−イソシアナトプロピルトリ−ｎ−プロポキシシラン、３−イソシアナトプロピルトリ−ｎ−ブトキシシラン、３−イソシアナトプロピルトリ−イソプロポキシシラン、３−イソシアナトプロピルトリ−ｓｅｃ−ブトキシシランおよび３−イソシアナトプロピルトリイソプロポキシシランからなる群より選択され、シラン（ｉｉｉ）が、２−メルカプトエチルジメトキシエトキシシラン、３−メルカプトプロピルジメトキシエトキシシラン、４−メルカプトブチルジメトキシエトキシシラン、３−メルカプトブチルジメトキシエトキシシラン、３−メルカプト−２−メチルプロピルジメトキシエトキシシラン、３−メルカプトシクロヘキシルジメトキシエトキシシラン、１２−メルカプトドデシルジメトキシエトキシシラン、１８−メルカプトオクタデシルジメトキシエトキシシラン、２−メルカプトフェニルジメトキシエトキシシラン、２−メルカプトトリルジメトキシエトキシシラン、１−メルカプトメチルトリルジメトキシエトキシシラン、２−メルカプトエチルフェニルジメトキシエトキシシラン、２−メルカプトエチルトリルジメトキシエトキシシラン、３−メルカプトプロピルフェニルジメトキシエトキシシラン、３−アミノプロピルジメトキシエトキシシラン、Ｎ−メチル−３−アミノ−２−メチルプロピルジメトキシエトキシシラン、Ｎ−エチル−３−アミノ−２−メチルプロピルジメトキシエトキシシラン、Ｎ−ブチル−３−アミノプロピルジメトキシエトキシシラン、３−（Ｎ−メチル−２−アミノ−１−メチル−１−エトキシ）−プロピルジメトキシエトキシシラン、Ｎ−エチル−４−アミノ−３，３−ジメチルブチルジメトキシエトキシシラン、Ｎ−（シクロヘキシル）−３−アミノプロピルジメトキシエトキシシラン、ｂｉｓ−（３−ジメトキシエトキシシリルプロピル）アミン、ｂｉｓ−（３−ジメトキシエトキシシリル−２−メチルプロピル）アミン、Ｎ−（３−ジメトキシエトキシシリルプロピル）−３−アミノ−２−メチルプロピルジメトキシエトキシシラン、２−（ジメトキシエトキシシラニルメチル−アミノ）−コハク酸ジメチルエステル、２−（ジメトキシエトキシシラニルメチル−アミノ）−コハク酸ジエチルエステル、２−（ジメトキシエトキシシラニルメチル−アミノ）−コハク酸ジブチルエステル、２−（ジメトキシエトキシシラニル−エチルアミノ）−コハク酸ジメチルエステル、２−（ジメトキシエトキシシラニル−プロピルアミノ）−コハク酸ジメチルエステル、２−（ジメトキシエトキシシラニル−プロピルアミノ）−コハク酸ジエチルエステル、２−（ジメトキシエトキシシラニル−プロピルアミノ）−コハク酸ジブチルエステル、ウレイドメチルジメトキシエトキシシラン、２−ウレイドエチルジメトキシエトキシシラン、３−ウレイドプロピルジメトキシエトキシシラン、６−ウレイドヘキシルジメトキシエトキシシラン、イソシアナトメチルジメトキシエトキシシラン、２−イソシアナトエチルジメトキシエトキシシラン、３−イソシアナトプロピルジメトキシエトキシシラン、３−イソシアナトプロピルジメトキシ−ｎ−プロポキシシラン、３−イソシアナトプロピルジメトキシ−ｎ−ブトキシシラン、３−イソシアナトプロピルジメトキシイソプロポキシシラン、３−イソシアナトプロピルジメトキシ−ｓｅｃ−ブトキシシランおよび３−イソシアナトプロピルジメトキシイソブトキシシランからなる群より選択され、そしてシラン（ｉｖ）が、２−メルカプトエチルメトキシジエトキシシラン、３−メルカプトプロピルメトキシジエトキシシラン、４−メルカプトブチルメトキシジエトキシシラン、３−メルカプトブチルメトキシジエトキシシラン、３−メルカプト−２−メチルプロピルメトキシジエトキシシラン、３−メルカプトシクロヘキシルメトキシジエトキシシラン、１２−メルカプトドデシルメトキシジエトキシシラン、１８−メルカプトオクタデシルメトキシジエトキシシラン、２−メルカプトフェニルメトキシジエトキシシラン、２−メルカプトトリルメトキシジエトキシシラン、１−メルカプトメチルトリルメトキシジエトキシシラン、２−メルカプトエチルフェニルメトキシジエトキシシラン、２−メルカプトエチルトリルメトキシジエトキシシラン、３−メルカプトプロピルフェニルメトキシジエトキシシラン、３−アミノプロピルメトキシジエトキシシラン、Ｎ−メチル−３−アミノ−２−メチルプロピルメトキシジエトキシシラン、Ｎ−エチル−３−アミノ−２−メチルプロピルメトキシジエトキシシラン、Ｎ−ブチル−３−アミノプロピルメトキシジエトキシシラン、３−（Ｎ−メチル−２−アミノ−１−メチル−１−エトキシ）−プロピルメトキシジエトキシシラン、Ｎ−エチル−４−アミノ−３，３−ジメチルブチルメトキシジエトキシシラン、Ｎ−（シクロヘキシル）−３−アミノプロピルメトキシジエトキシシラン、ｂｉｓ−（３−メトキシジエトキシシリルプロピル）アミン、ｂｉｓ−（３−メトキシジエトキシシリル−２−メチルプロピル）アミン、Ｎ−（３−メトキシジエトキシシリルプロピル）−３−アミノ−２−メチルプロピルメトキシジエトキシシラン、２−（メトキシジエトキシシラニルメチル−アミノ）−コハク酸ジメチルエステル、２−（メトキシジエトキシシラニルメチル−アミノ）−コハク酸ジエチルエステル、２−（メトキシジエトキシシラニルメチル−アミノ）−コハク酸ジブチルエステル、２−（メトキシジエトキシシラニル−エチルアミノ）−コハク酸ジメチルエステル、２−（メトキシジエトキシシラニル−プロピルアミノ）−コハク酸ジメチルエステル、２−（メトキシジエトキシシラニル−プロピルアミノ）−コハク酸ジエチルエステル、２−（メトキシジエトキシシラニル−プロピルアミノ）−コハク酸ジブチルエステル、ウレイドメチルメトキシジエトキシシラン、２−ウレイドエチルメトキシジエトキシシラン、３−ウレイドプロピルメトキシジエトキシシラン、６−ウレイドヘキシルメトキシジエトキシシラン、イソシアナトメチルメトキシジエトキシシラン、２−イソシアナトエチルメトキシジエトキシシラン、３−イソシアナトプロピルメトキシジエトキシシラン、３−イソシアナトプロピルメトキシ−ジ−ｎ−プロポキシシラン、３−イソシアナトプロピルメトキシ−ジ−ｎ−ブトキシシラン、３−イソシアナトプロピルメトキシジイソプロポキシシラン、３−イソシアナトプロピルメトキシ−ジ−ｓｅｃ−ブトキシシラン、３−イソシアナトプロピルメトキシジイソブトキシシランからなる群より選択される、請求項９に記載の湿気硬化型シリル化ポリマー。
【請求項９】
請求項１〜８のいずれか１項に記載の湿気硬化型シリル化ポリマーの少なくとも一つを含有し、そして他のポリマー、粘着付与剤、ゴム、可塑剤、充填剤、界面活性剤、有機溶媒、揺変剤、微粒子物質、湿気捕捉剤、イソシアナート捕捉剤、架橋剤、接着促進剤、ＵＶ安定化剤、触媒、充填剤および抗酸化剤からなる群より選択される、湿気含有の添加物成分および／もしくは実質的に湿気を含まない添加物成分を少なくとも一つ含有する、湿気硬化型接着剤、封止剤もしくはコート剤組成物。